(57)【特許請求の範囲】
【請求項１】
電力系統に設けられる複数の機器から機器情報を取込み、その情報に基づいて機器の故障判定、故障点の特定、監視装置への通知、または前記機器への故障点復旧用の動作指令出力を行う保守支援装置と、この保守支援装置を模擬的に動作させてその機能を点検するシミュレータ式試験装置とを備えたシステムであって、前記シミュレータ式試験装置として、前記機器情報を模擬した機器データを保有する一つのシミュレータ用パソコンと、その機器データに対応する周辺情報を模擬した周辺データを保有する他の複数のシミュレータ用パソコンと、これら全てのシミュレータ用パソコンにシリアル伝送用変換器を介して一括接続され、これらの各シミュレータ用パソコンに起動指令およびデータ読み出しを行わせる一括制御用パソコンとを備え、前記一括制御用パソコンを介して前記各シミュレータ用パソコンを一斉起動または時間差起動させることにより、前記保守支援装置の機能試験を行うことを特徴とする電力系統保守支援装置の試験用パソコンシステム。
【発明の詳細な説明】
【０００１】
【発明の属する技術分野】
本発明は、例えば変電所等における母線事故時に断路器等の故障点を特定して通知したり、あるいは復旧手順を示す等の操作を行う保守支援装置を対象として模擬的な情報により機能試験を行うためのシステムに係り、特に複数台のシミュレータ用パソコンを利用して効率よく試験を行うことができる電力系統保守支援装置の試験用パソコンシステムに関するものである。
【０００２】
【従来の技術】
従来、変電所等の電力系統に設けられる保守支援装置として、例えば断路器等の複数の機器から運転中に機器情報を取込み、母線事故時の情報に基づいて機器の故障判定、故障点の特定、監視装置への通知等を行うようにした故障判定装置や、さらに断路器切替え機能を加えた故障点自動復旧装置等が知られている。
【０００３】
このような保守支援装置の機能を、定期点検等の際に正常か否か試験するために、保守支援装置に模擬的な機器情報を与え、対応する機能の試験を行うシステムが種々開発されている。
【０００４】
通常、保守支援装置には、遠隔監視装置（ＩＴＣ）、あるいは集中監視制御装置（ＩＭＣＳ）、制御端末装置（ＤＡＣ）等が接続されており、これらのＩＴＣ，ＩＭＣＳ，ＤＡＣ等が設けられている場合にはそれらを用いて保守支援装置の機能試験を行うことができる。
【０００５】
しかし、ＩＴＣ，ＩＭＣＳ，ＤＡＣ等が設けられていない場合にはこれらに代え、また設けられている場合においても付加的に、制御端末装置、すなわち複数のパーソナルコンピュータ（パソコン）を使用した試験システムが適用されている。
【０００６】
図２は、このような電力系統保守支援装置の試験用パソコンシステムの従来例を示している。
【０００７】
すなわち、変電所１の母線系統２の断路器３や、図示しない他の系統機器にセンサ４が設けられ、これらのセンサ４の信号が光ファイバケーブル５を用いたＨＤＬＣ６等により、保守支援装置としての母線故障点自動復旧装置７に接続されている。
【０００８】
この母線故障点自動復旧装置７は、例えば入出力部７ａおよび故障判定部７ｂを有し、断路器３等に関する動作情報を常時取込んで、その機器等の故障判定を行うとともに、故障と判定した場合には断路器切替え等の自動復旧動作指令の出力を行うようになっている。
【０００９】
即ち、母線故障点自動復旧装置７においては、変電所１の定常運転時のデータが初期データとして格納されるとともに、各機器毎に対応した故障に関する判定手法およびその復旧手順等のデータが格納されている。そして、各センサ４を介して機器異常、事故等の情報が入力された場合には、初期データとの対比によって故障等の判定が行われ、復旧手順の指示あるいは直接復旧操作指令出力等が行われ、例えば断路器３等の「入」，「切」等が行われて系統支援が行われるようになっている。
【００１０】
図２の例では、この母線故障点自動復旧装置７の入出力部７ａに光−電気変換器８ａ，８ｂ…を介して複数の光ファイバケーブル９ａ，９ｂ…が接続され、このうち一つの光ファイバケーブル９ａに光分岐・結合回路、例えばスターカプラ１０が設けられ、これによりローカルエリアネットワークが組まれている。
【００１１】
母線故障点自動復旧装置７の入出力部７ａから導かれたファイバケーブルのうち、一つの光ファイバケーブル９ａに、伝送装置１１ａおよび通信線１２ａを介して、シミュレータ用の１台のパーソナルコンピュータ（パソコン）１３ａが接続されている。このシミュレータ用パソコン１３ａを以下、第１パソコンという。伝送装置１１ａには、光ファイバケーブル９ａとの接続のための光−電気変換器１４ａが設けられている。また、伝送装置１１ａおよび第１パソコン１３ａには、通信線１２ａとの接続のためのインタフェース１５ａ，１６ａが設けられている。なお、通常、第１パソコン１３ａには空のインタフェース１７ａがあり、他の入出力手段との接続余裕が残存している。
【００１２】
そして、第１パソコン１３ａでは、それを操作する第１試験者１８ａにより母線故障点自動復旧装置７に入出力部７ａを介して例えば模擬的な事故設定の情報を送信でき、これにより起因シミュレーション操作が行えるようになっている。
【００１３】
一方、母線故障点自動復旧装置７に接続されたスターカプラ１０からの各分岐光ファイバケーブル９ｃには、それぞれ伝送装置１１ｂ…１１ｎおよび通信線１２ｂ…１２ｎを介してシミュレータ用の複数台（ｎ台）のパソコン１３ｂ…１３ｎ（以下、「第２パソコン１３ｂ、…第ｎパソコン１３ｎ」等のようにいう）が接続されている。なお、各伝送装置１１ｎ…１１ｎと各パソコン１３ｂ…１３ｎにはそれぞれ接続用のインタフェース１５ｂ…１５ｎ，１６ｂ…１６ｎが設けられている。また、各パソコン１３ｂ…１３ｎにも空のインタフェース１７ｂ…１７ｎが残存している。
【００１４】
これらの第２…第ｎパソコン１３ｂ…１３ｎでは、第２…第ｎ試験者１８ｂ…１８ｎにより、母線故障点自動復旧装置７に格納されている事故に関連する事故ケース毎の複数種類のデータの読み込みが行なえるとともに、その読込んだデータに基づいて関連事故、機器動作等を母線故障点自動復旧装置７に送信でき、それにより関連シミュレーション動作が行えるようになっている。
【００１５】
そして、上述した母線故障点自動復旧装置７の試験を行う場合には、変電所１からの光ファイバケーブル５に設けられるリレー（図示省略）等の動作遅れ等を考慮した一定時間範囲（例えば１０秒間）の下で、各試験者１８ａ…１８ｎが各シミュレータ用パソコン１３ｂ…１３ｎの操作によりシミュレータシステムを一斉起動または時間差起動させる。これにより、母線故障点自動復旧装置７による機能試験を行うことができる。
【００１６】
【発明が解決しようとする課題】
上述した従来の試験システムでは、例えば１０秒間という短い時間内に各シミュレータ用パソコン１３ａ…１３ｎをキーボード操作によって起動する必要があった。そのため、前述した条件を満たすだけの試験人員が必要となり、作業効率が悪いという問題があった。また、起動操作を人間系によって行うものであるため、起動タイミングが毎回異なる等の不具合もあった。
【００１７】
本発明はこのような事情に鑑みてなされたもので、試験員の人員削減および試験データファイルの読み出し等の準備時間の短縮が図れ、これにより試験工数を削減できるとともに、試験効率を一段と向上させることができる電力系統保守支援装置の試験用パソコンシステムを提供することを目的とする。
【００１８】
【課題を解決するための手段】
前記の目的を達成するため、本発明は、電力系統に設けられる複数の機器から機器情報を取込み、その情報に基づいて機器の故障判定、故障点の特定、監視装置への通知、または前記機器への故障点復旧用の動作指令出力を行う保守支援装置と、この保守支援装置を模擬的に動作させてその機能を点検するシミュレータ式試験装置とを備えたシステムであって、前記シミュレータ式試験装置として、前記機器情報を模擬した機器データを保有する一つのシミュレータ用パソコンと、その機器データに対応する周辺情報を模擬した周辺データを保有する他の複数のシミュレータ用パソコンと、これら全てのシミュレータ用パソコンにシリアル伝送用変換器を介して一括接続され、これらの各シミュレータ用パソコンに起動指令およびデータ読み出しを行わせる一括制御用パソコンとを備え、前記一括制御用パソコンを介して前記各シミュレータ用パソコンを一斉起動または時間差起動させることにより、前記保守支援装置の機能試験を行うことを特徴とする電力系統保守支援装置の試験用パソコンシステムを提供する。
【００１９】
【発明の実施の形態】
以下、本発明に係る電力系統保守支援装置の試験用パソコンシステムの一実施形態について、図１を参照して説明する。
【００２０】
図１は、本実施形態による電力系統保守支援装置の試験用パソコンシステムを示す系統図である。なお、説明を簡明にするため、従来例で示した構成と同一の部分には、図２と同一の符号を使用する。
【００２１】
変電所１の母線系統２の断路器３および図示しない他の系統機器にセンサ４が設けられ、これらのセンサ４の信号が光ファイバケーブル５を用いたＨＤＬＣ６等により、保守支援装置としての母線故障点自動復旧装置７に接続されている。
【００２２】
母線故障点自動復旧装置７は、例えば入出力部７ａおよび故障判定部７ｂを有し、断路器３等に関する動作情報を常時取込んで、その機器等の故障判定を行うとともに、故障と判定した場合には断路器切替え等の自動復旧動作指令の出力を行うようになっている。
【００２３】
即ち、母線故障点自動復旧装置７においては、変電所１の定常運転時のデータが初期データとして格納されるとともに、各機器毎に対応した故障に関する判定手法およびその復旧手順等のデータが格納されている。そして、各センサ４を介して機器異常、事故等の情報が入力された場合には、初期データとの対比によって故障等の判定が行われ、復旧手順の指示あるいは直接復旧操作指令出力等が行われ、例えば断路器３等の「入」，「切」等が行われて系統支援が行われるようになっている。
【００２４】
このような構成において、母線故障点自動復旧装置７の入出力部７ａに光−電気変換器８ａ，８ｂ…を介して複数の光ファイバケーブル９ａ，９ｂ…が接続され、このうち一つの光ファイバケーブル９ａに光分岐・結合回路、例えばスターカプラ１０が設けられ、これによりローカルエリアネットワークが組まれている。
【００２５】
母線故障点自動復旧装置７の入出力部７ａから導かれたファイバケーブルのうち、母線故障点自動復旧装置７の入出力部７ａから導かれた一つの光ファイバケーブル９ａに、伝送装置１１ａおよび通信線１２ａを介してシミュレータ用の１台のパーソナルコンピュータ（第１パソコン）１３ａが接続されている。伝送装置１１ａには、光ファイバケーブル９ａとの接続のための光−電気変換器１４ａが設けられている。また、伝送装置１１ａおよび第１パソコン１３ａには、通信線１２ａとの接続のためのインタフェース１５ａ，１６ａが設けられている。
【００２６】
第１パソコン１３ａには、変電所１から運転時に母線故障点自動復旧装置７に送信される機器情報、例えば母線等の事故情報を模擬した機器データが保有されており、この機器データを母線故障点自動復旧装置７に入出力部７ａを介して送信することにより、起因シミュレーション動作が行えるようになっている。
【００２７】
一方、母線故障点自動復旧装置７に接続されたスターカプラ１０からの各分岐光ファイバケーブル９ｃには、それぞれ伝送装置１１ｂ…１１ｎおよび通信線１２ｂ…１２ｎを介してシミュレータ用の複数台（ｎ台）のパソコン１３ｂ…１３ｎ（第２パソコン１３ｂ、…第ｎパソコン１３ｎ）が接続されている。なお、各伝送装置１１ｎ…１１ｎと各パソコン１３ｂ…１３ｎには、それぞれ接続用のインタフェース１５ｂ…１５ｎ，１６ｂ…１６ｎが設けられている。
【００２８】
これらの第２…第ｎパソコン１３ｂ…１３ｎには、第１パソコン１３ａに保有されている機器データに対応する周辺データ、すなわち事故に関連して発生する種々の事象に関する複数の模擬的なデータが、事故ケース毎に種別されて保有されている。
【００２９】
ところで前述したように、従来例では、シミュレータ用の第１…第ｎパソコン１３ａ…１３ｎに残存している空のインタフェース１７ａ…１７ｎを特に利用していなかったが、本実施形態ではこれらの１３ａ…１３ｎを利用して、各シミュレータ用パソコン１３ａ…１３ｎに、起動指令およびデータ読み出しを行わせる一括制御用パソコン１９が接続されている。
【００３０】
すなわち、図１に示すように、複数のシミュレータ用パソコン１３ａ…１３ｎの各インタフェース１３ａ…１３ｎに通信配線２０ａ…２０ｎを介して１：ｎシリアル伝送用変換器２１が接続され、このシリアル伝送用変換器２１に一括制御用パソコン１９がそのインタフェース１９ａおよび通信配線２２を介して接続されている。これにより、シリアル伝送用変換器２１を通して１：ｎの伝送を実現し、一台の一括制御用パソコン１９により複数第のシミュレータ用パソコン１３ａ…１３ｎを一括制御できるようになっている。
【００３１】
そして、試験時においては、一括制御用パソコン１９を一人の試験者１８が操作することにより、一括制御用パソコン１９を介して各シミュレータ用パソコン１３ａ…１３ｎを一斉起動または時間差起動させることにより、前記保守支援装置の機能試験を行う。具体的には、一括制御用パソコン１９の操作により各シミュレータ用パソコン１３ａ…１３ｎ起動し、予め想定した事故を想定して各シミュレータ用パソコン１３ａ…１３ｎに必要なデータの読込みを行わせておく。そして、例えば時間差起動の場合には、この一括制御用パソコン１９の操作により試験開始とすると、初めにシミュレータ用の第１パソコン１３ａが起動して、母線故障点自動復旧装置７に事故情報が送信され、次いで順次にシミュレータ用の第２…第ｎパソコン１３ａ…１３ｎから関連情報が時間差をもって送信される。この操作の全時間は、変電所１からの光ファイバケーブル５に設けられるリレー（図示省略）等の動作遅れ等を考慮した一定時間範囲（例えば１０秒間）である。
【００３２】
この操作により、母線故障点自動復旧装置７が応答して、故障判定、故障点の特定、通知、故障点復旧用の動作指令等の出力がなされる。これらの応答信号を、各シミュレータ用パソコン１３ａ…１３ｎを介して一括制御用パソコン１９で点検することができる。なお、この点検については、母線故障点自動復旧装置７に設けられている図示しないモニタ表示によって行うこともできる。
【００３３】
このような本実施形態によれば、試験操作が一人の試験者１８だけで行えるので、上述した従来の試験システムで必要としていた複数人の試験者による各シミュレータ用パソコン１３ａ…１３ｎのキーボード操作が不要となり、試験員の人員削減が図れる。また、試験データファイルの読み出し等の準備時間の短縮および工数削減も図れる。したがって、作業効率を大幅に向上することができる。また、複数人で同時的に操作する場合と異なり、起動タイミングが毎回異なる等の不具合も解消される。よって、本実施形態によれば、試験効率を一段と向上させることができる。
【００３４】
なお、本発明では、以上の実施形態の保守支援装置に限らず、単に故障点の特定を行うもの等、種々の支援装置に適用することができる。
【００３５】
【発明の効果】
以上のように、本発明に係る電力系統保守支援装置の試験用パソコンシステムによれば、試験員の人員削減および試験データファイルの読み出し等の準備時間の短縮が図れ、これにより試験工数を削減できるとともに、試験効率を一段と向上させることができる等の優れた効果が奏される。
【図面の簡単な説明】
【図１】本発明に係る電力系統保守支援装置の試験用パソコンシステムの一実施形態を示す系統図。
【図２】従来の電力系統保守支援装置の試験用パソコンシステムを示す系統図。
【符号の説明】
１  変電所
２  母線系統
３  断路器
４  センサ
５  光ファイバケーブル
６  ＨＤＬＣ伝送
７  母線故障点自動復旧装置
７ａ  入出力部
７ｂ  故障判定部７
８ａ，８ｂ  光−電気変換器
９ａ，９ｂ，９ｃ  光ファイバケーブル
１０  スターカプラ
１１ａ〜１１ｎ  伝送装置
１２ａ〜１２ｎ  通信線
１３ａ〜１３ｎ  シミュレータ用パソコン
１４ａ，１４ｂ  光−電気変換器
１５ａ〜１５ｎ  インタフェース
１７ａ  インタフェース
１８，１８ａ〜１８ｎ  試験者
１９  一括制御用パソコン
２０ａ〜２０ｎ  通信配線
２１  シリアル伝送用変換器
【図１】
0004246340.tif 000002
【図２】
0004246340.tif 000003